(57)【要約】【課題】階段下の空間を子どもが楽しめるための空間として有効に利用できる階段構造を提供する。【解決手段】  下階の居室Ｌから上階へと繋がる階段２の階段構造１であって、階段２は、居室Ｌへと繋がる通路４１に隣接して配置されており、階段２の下側には、階段下空間Ｓが設けられ、該階段下空間Ｓの通路側４１の壁体１３には、床面１０からの高さの異なる複数の貫通孔１４が形成され、階段下空間Ｓの通路４１側の反対側の壁体１５には、当該階段下空間Ｓへ出入りするための開口部１６が形成されている。【選択図】図１
2014062419.tif 000002
【特許請求の範囲】
【請求項１】
下階の居室から上階へと繋がる階段の階段構造であって、
前記階段は、前記居室へと繋がる通路に隣接して配置されており、
前記階段の下側には、階段下空間が設けられ、
該階段下空間の前記通路側の壁体には、床面からの高さの異なる複数の貫通孔が形成され、
前記階段下空間の前記通路側の反対側の壁体には、当該階段下空間へ出入りするための開口部が形成されていることを特徴とする階段構造。
【請求項２】
前記階段は直階段であって、該直階段の階段幅は、１５０ｃｍ以上２５０ｃｍ以下に設定されていることを特徴とする請求項１に記載の階段構造。
【請求項３】
前記階段下空間の床面は、前記居室の床面よりも所定高さ低い位置に設けられていることを特徴とする請求項１又は２に記載の階段構造。
【請求項４】
前記所定高さは、１５ｃｍ以上２５ｃｍ以下に設定されていることを特徴とする請求項３に記載の階段構造。
【請求項５】
前記階段には、奥行き及び高さが当該直階段の踏面の奥行き及び蹴上げの高さと同一で、且つ、幅が階段幅に対して２０〜３０％の割合を占める直方体状のクッションが配置されていることを特徴とする請求項１乃至４のいずれかに記載の階段構造。
【請求項６】
前記クッションは、前記階段の踏面の幅方向の片方端に各段毎に左右交互に配置されていることを特徴とする請求項５に記載の階段構造。
【請求項７】
請求項１乃至６のいずれかに記載の階段構造を備えたことを特徴とする住宅。
【請求項８】
請求項１乃至６のいずれかに記載の階段構造を備えたことを特徴とする住宅展示物。
【発明の詳細な説明】
【技術分野】
【０００１】
本発明は、階段の下側に設けられる階段下空間を有効に利用するための階段構造、住宅、及び住宅展示物に関する。
【背景技術】
【０００２】
従来から、住宅の階段下の空間を有効に利用することが望まれており、これまでに住宅の階段下空間を収納空間として利用するための構造が様々提案されている（例えば、特許文献１参照）。
【０００３】
特許文献１では、階段下空間を有効に利用するために、階段の階段下空間に収納家具を収容している。これにより、収納家具を設置するスペースを省略することができるので、その分のスペースを有効に利用することができる。
【先行技術文献】
【特許文献】
【０００４】
【特許文献１】特開２０１２−０６４７２号公報
【発明の概要】
【発明が解決しようとする課題】
【０００５】
しかしながら、特許文献１のように従来の階段下空間は、主に収納等に利用するためのものであって、子どもが楽しめるようなための空間として設計されているものではなかった。
【０００６】
本発明は、上記のような課題に鑑みてなされたものであって、階段下の空間を子どもが楽しめるための空間として有効に利用できる階段構造、住宅、及び住宅展示物を提供することを目的とする。
【課題を解決するための手段】
【０００７】
上記目的を達成するために、請求項１に記載の階段構造は、下階の居室から上階へと繋がる階段の階段構造であって、前記階段は、前記居室へ繋がる通路に隣接して配置されており、前記階段の下側には、階段下空間が設けられ、該階段下空間の前記通路側の壁体には、床面からの高さの異なる複数の貫通孔が形成され、前記階段下空間の前記通路側の反対側の壁体には、当該階段下空間へ出入りするための開口部が形成されていることを特徴としている。
【０００８】
請求項２に記載の階段構造は、前記階段が直階段であって、該直階段の階段幅が、１５０ｃｍ以上２５０ｃｍ以下に設定されていることを特徴としている。
【０００９】
請求項３に記載の階段構造は、前記階段下空間の床面が、前記居室の床面よりも所定高さ低い位置に設けられていることを特徴としている。
【００１０】
請求項４に記載の階段構造は、前記所定高さが、１５ｃｍ以上２５ｃｍ以下に設定されていることを特徴としている。
【００１１】
請求項５に記載の階段構造は、前記階段に、奥行き及び高さが当該直階段の踏面の奥行き及び蹴上げの高さと同一で、且つ、幅が階段幅に対して２０〜３０％の割合を占める直方体状のクッションが配置されていることを特徴としている。
【００１２】
請求項６に記載の階段構造は、前記クッションが、前記階段の踏面の幅方向の片方端に各段毎に左右交互に配置されていることを特徴としている。
【００１３】
請求項７に記載の住宅は、請求項１乃至６のいずれかに記載の階段構造を備えたことを特徴としている。
【００１４】
請求項８に記載の住宅展示物は、請求項１乃至６のいずれかに記載の階段構造を備えたことを特徴としている。
【発明の効果】
【００１５】
請求項１に記載の階段構造によれば、階段は、居室へと繋がる通路に隣接して配置されており、この階段の下側に設けられる階段下空間の通路側の壁体には、床面からの高さの異なる複数の貫通孔が形成されている。これにより、例えば、子どもたちは、階段下空間からそれらの貫通孔を覗くことによって、通路側の景色や通路を通る人の表情等を異なる高さや角度から見て楽しむことができる。また、階段下空間の照明が消えている状態でも、通路側からの照明等の光を、それらの貫通孔を通じて階段下空間に採り込むことができるので、階段下空間が完全に真っ暗になるような状態を防ぐことができ、安全である。また、通路側の照明の変化によって、貫通孔の明るさも変化するので、子ども達は、階段下空間で遊びながらも貫通孔の明るさの変化によって通路を通る人の気配等を感じることができる。
【００１６】
請求項２に記載の階段構造によれば、階段が直階段であって、該直階段の階段幅は、１５０ｃｍ以上２５０ｃｍ以下に設定されているので、一般的な住宅の階段下の空間よりも床面積を広く確保することができる。これにより、子ども達は階段下空間で比較的ゆったりと遊ぶことができる。
【００１７】
請求項３に記載の階段構造によれば、階段下空間の床面は、居室の床面よりも所定高さ低い位置に設けられているので、階段下空間の床面から天井面までの高さを所定高さ分だけ高くすることができ、階段下空間を開放的にすることができる。
【００１８】
請求項４に記載の階段構造によれば階段下空間の床面を居室の床面より１５ｃｍ以上２５ｃｍ以下の範囲の低い位置に設定しているので、階段下空間の高さがその分拡大されて、従来利用が難しかった直階段の低段部の下側に位置する階段下空間でも子どものおもちゃ等を置くための空間として有効に利用することができる。
【００１９】
請求項５に記載の階段構造によれば、階段には、奥行き及び高さが当該直階段の踏面及び蹴上げと同一であるクッションが配置されているので、階段の一部を踏面２つ分の奥行きを有する座面で、蹴上げの２倍の高さとなる椅子状にすることができ、大人でもゆったりと座ることができる。また、階段が直階段の場合には、例えば、親は居室で遊ぶ子どもの様子等を座った状態で見守ることができる。また、クッションの幅は、階段の階段幅に対して２０〜３０％の割合であるので、当該クッションが配置された場合でも、階段の他の部分を利用して昇降することができる。
【００２０】
請求項６に記載の階段構造によれば、クッションは、階段の踏面の幅方向の片方端に各段毎に左右交互に配置されているため、階段の幅方向中央部を利用して昇降することができるので、昇降する人の邪魔になることなく、直階段にゆったりと座るための箇所を複数設けることができる。
【００２１】
請求項７に記載の階段構造によれば、上述の請求項１乃至６のいずれかの効果を有する住宅とすることができる。
【００２２】
請求項８に記載の階段構造によれば、上述の請求項１乃至６のいずれかの効果を有する住宅展示物とすることができる。
【図面の簡単な説明】
【００２３】
【図１】本発明に係る階段構造を備えた住宅の１階部分の一例を示す間取り図である。
【図２】本発明に係る階段構造を備えた住宅の２階部分の一例を示す間取り図である。
【図３】本発明に係る階段構造の外観の一例を示す概略斜視図である。
【図４】図２におけるＡ−Ａ線断面図である。
【発明を実施するための形態】
【００２４】
以下、本発明に係る階段構造の実施形態について、図面を参照しつつ説明する。本発明の実施形態に係る階段構造１は、図１及び図２に示すように、住宅や住宅展示物の階段２の構造に関するものである。
【００２５】
階段２は、図１及び図２に示すように、１階のリビングルームＬから２階の通路Ｔへと直線状に繋がる直階段であって、玄関口３とリビングルームＬを結ぶように略Ｌ字状に形成されている通路４のうち、リビングルームＬへと繋がる直線状の通路４１に隣接して配置されている。
【００２６】
この階段（以下、直階段という）２は、図３に示すように、例えば階段幅Ｗが２５０ｃｍに設定されている幅広の階段であれば、人が直階段２の踏面５に座った場合でも、他の人の昇降を妨げるのを防ぐことができる。また、直階段２の踏面５の奥行きＤは、例えば２７．５ｃｍ、蹴上げ６の高さＨは１９．１ｃｍに設定されていれば、比較的緩やかな勾配となるので、直階段２上にゆったりと座ることができる。尚、階段幅Ｗは、人が直階段２上に座った場合でも他の人が昇降できる程度の階段幅を有していれば良く、１５０ｃｍ以上２５０ｃｍ以下程度に設定されていることが好ましい。また、踏面５の奥行きＤ及び蹴上げ６の高さＨも上記の値に限定されるものではなく、階段幅Ｗ、住宅や住宅展示物の広さ等に応じて適宜設定されていれば良く、人が座ることを考慮して踏面５の奥行きＤは２５〜３０ｃｍ、蹴上げ６の高さＨは１８〜２３ｃｍ程度に設定されていることが好ましい。
【００２７】
また、直階段２の踏面５の上面には、略直方体状に形成されるクッション７を配置しても良い。クッション７は、図３に示すように、例えば、奥行きＤ１及び高さＨ１が直階段２の踏面５の奥行きＤ＝２７．５ｃｍ及び蹴上げ６の高さＨ＝１９．１ｃｍと同一で、幅Ｗ１＝６０ｃｍとなるように形成されている。このようなクッション７を直階段２の踏面５の上面に置くことによって、直階段２の一部を踏面５の２つ分の奥行き（５５ｃｍ）を有する座面で、高さが２つ分の蹴上げの高さ（３８．２ｃｍ）となる椅子状にすることができるので、大人でもゆったりと座ることができる。また、複数のクッション７を図３に示すように、直階段２の踏面５の幅方向の片方端に各段毎に左右交互に配置するようにすれば、直階段２の幅方向の両端側に複数の人が座ることができるので、例えば住宅展示物の休憩場所等としても有効に利用することができる。クッション７の幅Ｗ１は、６０ｃｍに設定されているので、クッション７を直階段２の踏面５の幅方向の片方端に各段毎に左右交互に配置した場合でも、直階段２の幅方向中央部には、１３０ｃｍの昇降スペースを確保できるため、昇降する人の邪魔にならずに済む。尚、クッション７の幅Ｗ１は、クッション７を配置した際でも直階段２に人が昇降するためのスペースを確保できるように、階段幅Ｗの寸法等に応じて適宜設定されるものであり、直階段２の階段幅Ｗに対して２０〜３０％程度の割合となる寸法であることが好ましい。また、図示しないが、クッション７は、直階段２から容易に外れないように、両面テープ等の種々の固定具によって直階段２に固定されていることが望ましい。また、直階段２の幅方向両端には、図４に示すような転落等を防止するためのフェンス８及び手摺９がそれぞれ設けられるが、図３では説明の都合上省略している。
【００２８】
次に、直階段２の下側に設けられる階段下空間Ｓについて説明する。階段下空間Ｓは、例えば、子どもが遊ぶためのスペース等として利用することができるものであって、図４に示すように、床面１０はリビングルームＬの床面１１よりも所定高さＨ２＝１８ｃｍ低い位置に設けられている。階段下空間Ｓの直階段２に平行な側面から見た断面形状は、直階段２の勾配に略沿って形成されている天井面１２と、床面１０と、玄関口３から通路４１へと繋がる通路４２に面する壁体１７とによって、略直角三角形状になっている。このように形成された階段下空間Ｓでは、床面１０から天井面１２までの高さを所定高さＨ２分だけ高くすることができ、且つ階段下空間Ｓの床面積を広く確保することができるので、階段下空間Ｓをより開放的にすることができる。また、高さがほとんど確保できないため、利用が難しい直階段２の低段部側の階段下空間Ｓも子どものおもちゃ等を置くための空間として有効に利用することができる。更に、本実施形態では、直階段２の階段幅Ｗを２５０ｃｍに設定しているので、階段下空間Ｓをより広く形成することができ、子どもだけでなく大人も直階段２の幅方向と平行する方向に寝転んだりすることできる空間を確保することができる。尚、階段下空間Ｓの床面１０からリビングルームＬの床面１１までの所定高さＨ２の寸法は、特に限定されるものではなく、人の昇降の負担や階段下空間Ｓの高さの確保等を考慮して、１５〜２５ｃｍ程度に設定されることが好ましい。
【００２９】
階段下空間Ｓの通路４１側の壁体１３には、図１に示すように、階段下空間Ｓから通路４１へ貫通する貫通孔１４が複数形成されており、通路４１側の反対側に位置し、直階段２を挟んで壁体１３に対向する壁体１５には、階段下空間Ｓへ出入りするための開口部１６が形成されている。複数の貫通孔１４は、図３及び図４に示すように、それぞれ直径の異なる略円形状のものであって、それぞれ壁体１３の異なる高さに形成されている。従って、例えば、階段下空間Ｓ内で遊ぶ子どもは、これらの貫通孔１４を覗くことによって、通路４１側の景色や通路４１を通る人の表情等を異なる高さや角度から見て楽しむことができる。尚、貫通孔１４の形状は、円形状に限定されるものではなく、三角形状や四角形状等の他、例えば家の形にくり貫いたもののように、意匠性の有る図形にくり貫かれていても良い。
【００３０】
階段下空間Ｓの玄関口３から通路４１へと繋がる通路４２に面する壁体１７の階段下空間Ｓ側の面には、図４に示すように、階段下空間Ｓを照らすための照明１８が設けられている。また、階段下空間Ｓでは、照明１８が消えている状態でも、貫通孔１４を通じて通路４１側からの光を採り込むことができるので、階段下空間Ｓが完全に真っ暗になるような状態を防ぐことができ、安全である。また、通路４１側の照明の変化によって、貫通孔１４の明るさも変化するので、子ども達は、階段下空間Ｓで遊びながらも貫通孔１４の明るさの変化によって通路４１を通る人の気配等を感じることができる。尚、照明１８が設けられる位置や個数は特に限定されるものではなく、階段下空間Ｓ全体を効率良く照らすことができるよう設けられていれば良い。
【００３１】
以下、図１に示す玄関口３から階段下空間Ｓの開口部１６までの動線を表す二点鎖線に沿って、階段構造１が備えられる住宅又は住宅展示物の間取りについて説明する。
【００３２】
まず、玄関口３から入って通路４２を進むと、図１に示すように、矢印方向を向いて左手側の階段下空間Ｓの一部を構成する壁体１７よりも玄関口３側には、格子状に形成された壁体１９が設けられている。この壁体１９は、壁体１７に連なって設けられており、リビングルームＬと階段下空間Ｓの開口部１６を結ぶ通路２０と通路４２の境界に配置されている。従って、初めて階段構造１が備えられている住宅や住宅展示物を訪れた人でも通路４２を通る際に、この壁体１９から階段下空間Ｓに出入りするための開口部１６が設けられていることに気付くことができる。
【００３３】
そして、通路４１を通る際には、壁体１３に大きさの異なる複数の貫通孔１４が異なる高さに形成されていることに気付くので、この貫通孔１４に興味・関心を持たせることができる。尚、通路４２の床面は、図４に示すように、階段下空間Ｓの床面１０と同様にリビングルームＬの床面１１よりも所定高さＨ２低い位置に設けられているため、通路４１は、緩やかな勾配を持つスロープ状になっている。
【００３４】
この通路４１は、リビングルームＬへと繋がっている。リビングルームＬには、直階段２と対向する位置にリビングルームの床面１１から所定高さＨ２＝１８ｃｍ段落ちさせて形成したピットリビング（低床部）２１が設けられている。このピットリビング２１は、図１に示すように、平面視において角がない形状をしており、段落ちしている周縁部２１ａのどこにでも座ることができるようになっている。また、ピットリビング２１は直階段２と対向しているので、ピットリビング２１内で子どもを遊ばせておいて、親は直階段２に座った状態で子どもを見守ることができる。
【００３５】
ピットリビング２１の更に奥側には、図１に示すように、ピットリビング２１を挟むように直階段２と対向する位置にキッチンＫが配置されている。このキッチンＫの床面も、階段下空間Ｓの床面１０やピットリビング２１と同様に所定高さＨ２低い位置に設けられている。キッチンＫは、所謂対面型キッチンであって、互いに対向する腕部２２ａ，２２ｃと、これらの端部を結ぶ背部２２ｂとによって平面視略コの字形状に形成されているキッチンユニット２２を備えている。このコの字形状の一方の腕部２２ｃは、外壁２３に沿って設けられており、他方の腕部２３ａは、ピットリビング２１及び直階段２と対向するように設けられている。このように直階段２、リビングルームＬ、及びキッチンＫは直線上に並ぶように配置されているので、直階段２からリビングルームＬ及びキッチンＫの様子を容易に把握することができる。
【００３６】
直階段２からキッチンＫへの動線と略直交する方向には、ピットリビング１５と対向するようにダイニングルームＤが配置されている。このダイニングルームＤとキッチンＫの間には、２階へと繋がる階段２４が設けられており、反対側には、リビングルームＬと階段下空間Ｓの開口部１８を結ぶ通路２０が設けられている。この通路２０は、図１に示すように壁体１５に沿って設けられており、通路２０の突き当たりには、格子状の壁体１９が設けられている。従って、この通路２０から通路４２及び玄関口３の様子を視認することができる。また、通路２０の床面は、階段下空間Ｓの床面１０と同様にリビングルームＬの床面１１よりも所定高さＨ２低い位置に設けられており、通路２０と階段下空間Ｓはフラットに形成されている。尚、本実施形態では、開口部１６には扉を設けていない例を示しているが、簡易な扉等を備えるように構成しても良い。また、本実施形態では、リビングルームＬと通路２０の境界部２５で所定高さＨ２分段落ちさせており、通路２０と階段下空間Ｓがフラットになるよう形成しているが、リビングルームＬと通路２０をフラットに形成し、通路２０から階段下空間Ｓへ入る際に所定高さＨ２分段落ちさせるように形成しても良い。また、本実施形態では、直階段２が繋がる下階の居室がリビングルームＬである例を示しているが、この間取りに限定されるものではなく、下階の居室は、ダイニングルームやリビングダイニングルーム等の他の居室であっても良い。また、本発明の階段構造１は、直階段２だけでなく、折り返し階段等の他の種類の階段に適用しても良い。
【００３７】
尚、本発明の実施の形態は上述の形態に限ることなく、本発明の思想の範囲を逸脱しない範囲で適宜変更することができる。
【符号の説明】
【００３８】
１          階段構造
２          直階段（階段）
４１        通路
５          踏面
６          蹴上げ
７          クッション
１０        階段下空間Ｓの床面
１１        リビングルームＬの床面
１３        壁体
１４        貫通孔
１５        壁体
１６        開口部
Ｌ          リビングルーム（居室）
Ｓ          階段下空間
【図１】
2014062419.tif 000003
【図２】
2014062419.tif 000004
【図３】
2014062419.tif 000005
【図４】
2014062419.tif 000006